(57)【要約】【課題】表示されるコンテンツデータを見るユーザーの疲労を軽減しつつ、暖色系の色の文字が見えにくくなるのを抑制することができる信号処理装置を提供する。【解決手段】抽出部１０１は、取得部１００より入力されたコンテンツデータを表示した表示部１０５の表示領域に、文字が占める領域の割合が所定の値より大きい文字領域であるかどうかを判別する。設定部１０２は、抽出部１０１が文字領域と判別した領域の文字の色情報に基づいて、コンテンツデータを表示するときの目標色温度を設定する。変換部１０３は、設定部１０２が設定した目標色温度に応じて、コンテンツデータの元の色温度を目標色温度に変化させる。【選択図】図１
2016110094.tif 000002
【特許請求の範囲】
【請求項１】
コンテンツデータが表示された表示領域において、文字が占める領域の割合が所定の値より大きい文字領域を抽出する抽出部と、
前記文字領域内の文字の色情報に基づいて、前記コンテンツデータを表示する際の目標色温度を設定する設定部と、
前記コンテンツデータの元の色温度を、前記目標色温度に変化させる変換部と、
を備える、信号処理装置。
【請求項２】
前記設定部は、前記色情報が暖色系を示す場合は、前記色情報が暖色系を示さない場合よりも、前記元の色温度から前記目標色温度への下げ幅を小さく設定する、請求項１に記載の信号処理装置。
【請求項３】
前記設定部は、前記表示領域内の暖色系の文字が存在する第１の領域を抽出し、前記表示領域における前記第１の領域の割合に応じて、前記目標色温度を設定する請求項１に記載の信号処理装置。
【請求項４】
前記設定部は、前記表示領域における前記第１の領域の割合が大きくなるほど、前記元の色温度から前記目標色温度への下げ幅を小さくして設定する、請求項１に記載の信号処理装置。
【請求項５】
前記設定部は、前記第１の領域内の暖色系の文字のサイズが大きくなるほど、前記第１の領域の割合を小さく設定する、請求項４に記載の信号処理装置。
【請求項６】
前記設定部は、前記文字領域内の暖色系の文字のコントラストが所定の値より小さくならないように、目標色温度を設定する、請求項１に記載の信号処理装置。
【請求項７】
前記設定部は、前記文字領域内の暖色系の文字のコントラストが所定の値になる第１の色温度を設定し、
前記変換部は、前記コンテンツのデータの色温度を前記第１の色温度より下げる場合は、前記文字領域内の暖色系の文字のコントラストを上げる処理を施す、請求項１に記載の信号処理装置。
【請求項８】
コンテンツデータが表示された表示領域において、文字が占める領域の割合が所定の値より大きい文字領域を抽出し、前記文字領域内の文字の色情報に基づいて、前記コンテンツデータを表示する際の目標色温度を設定し、前記コンテンツデータの元の色温度を、前記目標色温度に変化させる、信号処理方法。
【発明の詳細な説明】
【技術分野】
【０００１】
本開示は、入力されるコンテンツデータに対して信号処理を施す信号処理装置、および信号処理方法に関する。
【背景技術】
【０００２】
特許文献１は、表示装置、および表示制御方法、並びにプログラムを開示する。この表示装置は、画像信号を出力する表示部と、表示部に出力する画像信号の制御を実行する信号処理部を有する。信号処理部は、表示部の観察開始時間からの経過時間に応じて、画像信号の色温度を徐々に低下させる制御を実行する。色温度を低下させることにより、青色成分を減少させることが可能となり、ユーザーの疲労を軽減させることができる。
【先行技術文献】
【特許文献】
【０００３】
【特許文献１】特開２０１３−２５７４５７号公報
【発明の概要】
【発明が解決しようとする課題】
【０００４】
本開示は、表示されるコンテンツデータを見るユーザーの疲労を軽減することができる信号処理装置を提供する。
【課題を解決するための手段】
【０００５】
本開示における信号処理装置は、コンテンツデータが表示された表示領域において、文字が占める領域の割合が所定の値より大きい文字領域を抽出する抽出部と、文字領域内の文字の色情報に基づいて、コンテンツデータを表示する際の目標色温度を設定する設定部と、コンテンツデータの元の色温度を、目標色温度に変化させる変換部と、を備える。
【発明の効果】
【０００６】
本開示における信号処理装置は、表示されるコンテンツデータを見るユーザーの疲労を軽減するのに有効である。
【図面の簡単な説明】
【０００７】
【図１】第１の実施の形態における信号処理装置を有する表示装置の一構成例を示すブロック図
【図２】第１の実施の形態における文字領域の濃度ヒストグラムの一例を示す図
【図３】第１の実施の形態における文字を識別する方法の一例を示す図
【図４】第１の実施の形態における信号処理装置の設定部の動作を説明するフローチャート
【図５】第１の実施の形態における信号処理装置の変換部の色温度変化処理の一例を説明する図
【図６】第１の実施の形態における信号処理装置の変換部の色温度変化処理の他の例の説明図
【図７】第１の実施の形態における色温度変化の一例を示す図
【図８】第２の実施の形態における信号処理装置を有する表示装置の一構成例を示すブロック図
【図９】第２の実施の形態における信号処理装置の設定部の色温度設定の一例を説明する図
【図１０】第２の実施の形態における信号処理装置の設定部の他の動作を説明するフローチャート
【図１１】第２の実施の形態における色温度変化を示す図
【図１２】第３の実施の形態における信号処理装置を有する表示装置の構成を示すブロック図
【図１３】第３の実施の形態におけるコントラストと色温度の関係の一例を示す図
【図１４】第３の実施の形態における色温度変化の一例を示す図
【図１５】第４の実施の形態における信号処理装置を有する表示装置の構成を示すブロック図
【図１６】第４の実施の形態におけるコントラストと色温度の関係の一例を示す図
【図１７】第４の実施の形態における色温度変化を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（第１の実施の形態）
近年、モニタやタブレットの画面上で新聞や雑誌などの文字を読む機会が増えている。長時間、画面上で文字を読むと目が疲れる場合が多い。これは、画面から発行される青色発光成分（ブルーライト）に因ることが分かってきている。ユーザーの目の疲労を軽減するために、青色発光成分を減少させる、すなわち、表示画像の色温度を下げることが有効である。ここで、青色発光成分とは、約４００ｎｍから５００ｎｍの波長の光成分のことである。
【００１１】
ところで、表示するコンテンツデータの背景色が暖色系であり、かつ、文字色も暖色系である場合、文字のコントラストが低下して、表示された文字が見えにくくなる。ここで、暖色系の色とは、赤、橙および黄色の系統の色である。例えば、マンセル・カラー・システム  （Ｍｕｎｓｅｌｌ  ｃｏｌｏｒ  ｓｙｓｔｅｍ）の色相環において、１０ＲＰ（赤紫）から５ＹＲ（黄赤）を経て１０Ｙ（黄）へ至る範囲の色相のことである。
【００１２】
従って、暖色系の文字を含むコンテンツデータに対して、青色発光成分低減のために、コンテンツデータの色温度を単純に下げた場合、暖色系でなかった背景色が暖色系になり、文字が見えにくくなる場合がある。また、元々背景色が暖色系のコンテンツデータは、さらに文字が見えにくくなるという問題が生じる。
【００１３】
そこで、本開示は、暖色系の文字を含むコンテンツデータを表示する際の色温度設定について説明する。
【００１４】
第１の実施の形態では、文字が暖色系であるか、暖色系ではないかに応じて、コンテンツデータの色温度を設定する場合について説明する。
【００１５】
以下、図１〜図８を用いて、第１の実施の形態を説明する。
【００１６】
［１−１．構成］
図１は、第１の実施の形態における信号処理装置を有する表示装置１の一構成例を示すブロック図である。
【００１７】
図１に示すように、表示装置１は、取得部１００、信号処理装置１０、表示制御部１０４、表示部１０５を備えている。また、信号処理装置１０は、抽出部１０１、設定部１０２、変換部１０３を備えている。
【００１８】
取得部１００は、コンテンツデータの入力部である。ここで、コンテンツデータは、映像、画像、文字あるいはそれらの組み合わせによって表現されるデジタル情報である。例えば、ＭＰＥＧ、ＪＰＥＧ、ＰＤＦ、ＢＭＰなど、標準規格に準拠したファイルフォーマットのデータである。
【００１９】
抽出部１０１は、取得部１００より入力されたコンテンツデータが表示された表示領域を複数の領域に分割し、分割した領域毎に文字が占める領域の割合が所定の値より大きい文字領域であるかないかを判別することで、文字領域を抽出する。ここで、所定の値とは、例えば、１／２であり、表示領域の１／２以上の領域に文字が表示されることを示す。なお、領域を判断するための、文字または文字以外が表示領域に示す割合は１／２に限定しない。  設定部１０２は、抽出部１０１が文字領域内の文字の色情報に基づいて、コンテンツデータを表示するときの目標色温度を設定する。なお、色温度は白色を含むグレイ階調を表示したときの色合いを示すものであり、色温度が低い場合は赤寄りの表示になり、色温度が高い場合には青寄りの表示になる。本開示における色温度とは、色度図上で表わされる黒体放射軌跡上の色のみでなく、いわゆる相関色温度とされる黒体放射軌跡近傍を含む座標の色を示す。
【００２０】
変換部１０３は、設定部１０２が設定した目標色温度に応じて、コンテンツデータの元の色温度を目標色温度に変化させる。色温度の変化は、目標色温度に即時に変化することもできるが、目標色温度に時間経過とともに徐々に変化させていく、としてもよい。
【００２１】
表示制御部１０４は、変換部１０３で色温度を変化させたコンテンツデータを後段の表示部１０５に表示するための処理を施す。
【００２２】
表示部１０５は、ディスプレイであり、例えば、液晶ディスプレイ、有機ＥＬディスプレイ、またはプラズマディスプレイなどで構成される。
【００２３】
［１−２．動作］
以上のように構成された信号処理装置１０について、その動作を以下説明する。
【００２４】
［１−２−１．抽出部の領域検出］
図２は、第１の実施の形態における文字領域の濃度ヒストグラムの一例を示す図である。図２において、横軸は濃度値、縦軸は各濃度値の度数を示す。図２に示すように、文字領域の濃度ヒストグラムは、文字部分と背景部分の濃度値が各々集まり、大きく二つの山に分かれている。
【００２５】
抽出部１０１は、図２に示す濃度ヒストグラムの特徴を用いて、判別対象の表示領域が文字領域であるかどうかを判別する。ここで、濃度値は、ＲＧＢ信号の信号レベルを合算して、平均化したものでもよいし、ＲＧＢ信号から得られる輝度値としてもよい。輝度値は、例えば、次の（数１）で表現される。
【００２６】
（数１）
輝度値＝０．３Ｒ＋０．６Ｇ＋０．１Ｂ
ここで、（数１）において、Ｒ、Ｇ、Ｂは、それぞれ赤信号、緑信号、青信号の信号レベルを示す。
【００２７】
また、抽出部１０１は、濃度ヒストグラムによる領域の判別に加えて、領域内のエッジ量による判別を加えてもよい。抽出部１０１は、文字領域では大きなエッジ変化が多く存在することを用いて、領域の判別を行う。
【００２８】
［１−２−２．設定部の動作］
図３は、第１の実施の形態における文字を識別する方法の一例を説明する図である。図３は、抽出部１０１で抽出された文字領域の一部を示す。図３は、図２で二分された濃度値の一方である文字部分の濃度値の出現頻度を求めた場合を示している。図３において、縦軸Ｙは水平方向における濃度値の出現頻度、横軸Ｘは垂直方向における濃度値の出現頻度を示す。図３は、白い背景に、５つの文字「ａ」、「１」、「Ｂ」、「２」、「ｃ」が順に並んでいる文字領域を示す。
【００２９】
図３に示すように、文字が存在する範囲においては、垂直方向と水平方向の濃度値の出現頻度が高くなる。この濃度値の出現頻度の特徴を用いて、背景と文字の区別が可能となる。このように、文字信号が区別できれば、文字信号のＲＧＢ信号から、文字色を求めることができる。
【００３０】
図４は、第１の実施の形態における信号処理装置の設定部１０２の動作を説明するフローチャートである。
【００３１】
設定部１０２は、文字領域内の文字が暖色系であるかどうかを判断する（ステップＳ４０１）。設定部１０２は、文字が暖色系であると判断した場合は、元の色温度から目標色温度への下げ幅を小さく設定する（ステップＳ４０２）。また、設定部１０２は、文字が暖色系でないと判断した場合は、元の色温度から目標色温度への下げ幅を大きく設定する（ステップＳ４０３）。
【００３２】
［１−２−３．変換部の動作］
図５は、第１の実施の形態における信号処理装置の変換部１０３の色温度変化処理の一例を説明する図である。図５は、ＲＧＢ信号を同レベルにすると、表示される色温度が５０００Ｋになる例である。色温度を変化させる場合、変換部１０３は、ＲＧＢ信号の各々に所定のゲインを乗じて、ＲＧＢ信号の比率を変える処理を施す。色温度を上げる場合、変換部１０３はＢ信号のレベルを上げるとともに、Ｒ信号のレベルを下げる方向に変化させる。また、色温度を下げる場合、変換部１０３は、Ｂ信号のレベルを下げるとともに、Ｒ信号のレベルを上げる方向に変化させる。
【００３３】
図６は、第１の実施の形態における信号処理装置の変換部１０３の色温度変化処理の他の例を示す図である。図６は、ＲＧＢ信号を同レベルにすると、表示される色温度が９０００Ｋになる例である。色温度を下げる場合、変換部１０３は、ＲＧＢ信号の各々に所定のゲインを乗じて、Ｂ信号とＧ信号のレベルを下げる方向に変化させる。
【００３４】
図７は、第１の実施の形態における色温度変化の一例を示す図である。図７は、設定部１０２が設定した目標色温度に対して、時間経過により、変換部１０３が色温度変化を徐々に施した場合の例を示す。図７では、文字が暖色系である場合の文字領域の色温度Ａ１と、文字が暖色系ではない場合の文字領域の色温度Ａ２を示す。文字が暖色系の色ではない場合、設定部１０２は、目標色温度を元の色温度Ｋ１より色温度の下げ幅量を大きく設定した色温度Ｋ３に設定する。また、文字色が暖色系の色の場合、設定部１０２は、目標色温度を色温度Ｋ１より色温度の下げ幅を小さく設定した色温度Ｋ２に設定する。変換部１０３は、色温度Ａ１、色温度Ａ２を各々目標色温度Ｋ２、目標色温度Ｋ３に徐々に変化させる。図７に示すように、色温度Ａ１、色温度Ａ２は、時間経過により、各々目標色温度Ｋ２、Ｋ３に向けて、緩やかなカーブを描き、徐々に変化しているのがわかる。色温度を徐々に変えることにより、表示部１０５を見ているユーザーが色に順応していく順応性を利用して、ユーザーに違和感を与えないようにすることができる。
【００３５】
［１−３．効果等］
以上のように、本実施の形態において、抽出部１０１は、コンテンツデータが表示された表示領域において、文字が占める領域の割合が所定の値より大きい文字領域を抽出する。設定部１０２は、抽出部１０１が抽出した文字領域内の文字の色情報に基づいて、コンテンツデータを表示する際の目標色温度を設定する。変換部１０３は、コンテンツデータの元の色温度を目標色温度に変化させる。
【００３６】
また、設定部１０２は、色情報が暖色系を示さない場合は元の色温度から目標色温度への下げ幅を大きく設定し、色情報が暖色系を示す場合は元の色温度から目標色温度への下げ幅を小さく設定する。
【００３７】
これにより、文字が暖色系でない場合は、ユーザーの疲労を増加させるとされる青色発光成分を大きく低減させることができる。また、文字が暖色系である場合は、ユーザーの疲労を増加させるとされる青色発光成分を低減させるとともに、暖色系の文字のコントラストが低下して見えにくくなることを抑制することができる。
【００３８】
（第２の実施の形態）
第２の実施の形態では、暖色系の文字が表示される文字領域の大きさに応じて、目標色温度を設定する場合について説明する。
【００３９】
以下、図８〜図１１を用いて、第２の実施の形態を説明する。
【００４０】
［２−１．構成］
図８は、第２の実施の形態における信号処理装置を有する表示装置２の一構成例を示すブロック図である。図８に示すように、表示装置２は、取得部１００、信号処理装置２０、表示制御部１０４、表示部１０５を備える。信号処理装置２０は、抽出部１０１、設定部２０２、変換部２０３を備える。ここで、第１の実施の形態と同様の動作を行う構成要素に関しては、同符号を付与し、説明を省略する。本実施の形態では、設定部２０２、変換部２０３の動作を中心に説明する。
【００４１】
設定部２０２は、抽出部１０１が文字領域と判別した領域で、暖色系の色の文字が存在する領域が表示領域に占める割合に応じて、目標色温度を設定する。
【００４２】
変換部２０３は表示領域の元の色温度を設定部２０２が設定した目標色温度に変化させる。
【００４３】
［２−２．動作］
以上のように構成された信号処理装置２０について、その動作を以下説明する。
【００４４】
［２−２−１．設定部の色温度設定］
図９は、第２の実施の形態における信号処理装置の設定部２０２の色温度設定の一例を説明する図である。図９では、画像領域Ｂ１、暖色系の色の文字が存在する比率が低い第２の領域Ｂ２、および暖色系の色の文字が存在する比率が高い第１の領域Ｂ３を示す。また、第２の実施形態では、元のコンテンツデータの色温度を９０００Ｋとする。
【００４５】
図９の（ａ）は、画像領域Ｂ１と第２の領域Ｂ２で構成されているコンテンツデータを示す。この場合、第１の領域Ｂ３は存在しないので、設定部２０２は、色温度の下げ幅を大きくし、目標色温度を例えば３０００Ｋに設定する。図９の（ｂ）は、画像領域Ｂ１、第２の領域Ｂ２、第１の領域Ｂ３で構成されているコンテンツデータを示す。この場合、第２の領域Ｂ２とそれ以外の領域はほぼ同じ大きさである。設定部２０２は、図９の（ａ）の場合より色温度の下げ幅を小さくし、目標色温度を例えば５０００Ｋに設定する。図９の（ｃ）は、画像領域Ｂ１と第１の領域Ｂ３で構成されているコンテンツデータを示す。この場合、第１の領域Ｂ３の比率が高いため、設定部２０２は、図９の（ｂ）よりも色温度の下げ幅を小さくし、目標色温度を例えば６５００Ｋに設定する。
【００４６】
図９に示すように、設定部２０２は、コンテンツデータにおいて暖色系の文字が存在する第１の領域Ｂ３の比率が大きいほど色温度を高く設定する。言い換えると、設定部２０２は、暖色系の文字が存在する第１の領域Ｂ３の比率が高いほど、元の色温度からの下げ幅を小さくする。
【００４７】
なお、設定部２０２は、第１の領域Ｂ３内の暖色系の文字のサイズに応じて、第１の領域Ｂ３に重みを付けてもよい。
【００４８】
図１０は、第２の実施の形態における信号処理装置の設定部２０２の他の動作を説明するフローチャートである。設定部２０２は、文字領域において、暖色系の文字サイズと、暖色系ではない文字サイズを比較して（ステップＳ１００１）、暖色系の文字サイズが大きい場合は、暖色系の色の文字が存在する比率が高い第１の領域に重み付けをする（Ｓ１００２）。設定部２０２は、重み付けを考慮して、表示領域の目標色温度を設定する（Ｓ１００３）。この場合、設定部２０２は、重み付けをされた文字領域を実際の領域より小さい領域として扱う。これは、暖色系の文字が暖色系でない文字より大きいサイズである場合、背景が暖色系に変化しても、視認され易いことに起因する。このような処理を施すことで、目標色温度をより低い値に設定することができる。
【００４９】
［２−２−２．変換部の設定動作］
図１１は、第２の実施の形態における色温度変化を示す図である。図１１は、設定部２０２が設定した目標色温度に対して、時間経過により、変換部２０３が色温度変化を徐々に施した場合の例を示す。図１１では、暖色系の色の文字が存在する比率が高い第１の領域が大きい場合の色温度Ｄ１と、第１の領域が小さい場合の色温度Ｄ２を示す。設定部２０２は、第１の領域が小さい場合は、下げ幅が大きい色温度Ｅ３を目標色温度に設定し、第１の領域が大きい場合は、下げ幅が小さい色温度Ｅ２を目標色温度に設定する。図１１に示すように、変換部２０３は、色温度Ｄ１、色温度Ｄ２は、時間経過により、目標色温度Ｅ２、目標温度Ｅ３に向けて、緩やかなカーブを描き、徐々に変化させる。
【００５０】
［２−３．効果等］
以上のように、本実施の形態において、設定部２０２は、表示領域内の暖色系の文字が存在する比率が高い第１の領域の割合に応じて、目標色温度を設定する。
【００５１】
また、設定部２０２は、第１の領域の割合が大きくなるほど、元の色温度から目標色温度への下げ幅を小さくして設定する。
【００５２】
これにより、コンテンツデータにおいて、暖色系でない文字領域が大きい場合は目標色温度設定の下げ幅を大きく設定し、暖色系の文字領域が大きい場合は色温度設定の下げ幅を小さくする。
【００５３】
そのため、暖色系でない文字領域が大きいコンテンツの場合は、青色発光成分を大きく低減させることができる。また、暖色系の文字領域が大きい場合は青色発光成分を低減させるとともに、暖色系の文字のコントラストが低下して見えにくくなることを抑制することができる。
【００５４】
また、設定部２０２は、文字領域における、暖色系の文字のサイズが大きくなるほど、第１の領域の割合を小さく設定する。
【００５５】
設定部２０２は、暖色系の文字サイズと、暖色系でない文字サイズの大きさを比較して、暖色系の文字サイズが大きい場合は、文字領域を小さくする方向に重み付けをする。
【００５６】
これにより、暖色系の文字が大きい場合には、暖色系の文字がある場合に設定する目標色温度より下げ幅が大きい色温度を設定することができる。すなわち、暖色系の文字がある場合に施す処理よりも、青色発光成分を低減させるとともに、暖色系の文字のコントラストが低下して見えにくくなることを抑制することができる。
【００５７】
（第３の実施の形態）
第３の実施の形態では、暖色系の色の文字のコントラストに応じて、目標色温度を設定する場合について説明する。
【００５８】
以下、図１２〜図１４を用いて、実施の形態３を説明する。
【００５９】
［３−１．構成］
図１２は、第３の実施の形態における信号処理装置を有する表示装置３の一構成を示すブロック図である。図１２に示すように、表示装置３は、取得部１００、信号処理装置３０、表示制御部１０４、表示部１０５を備える。信号処理装置３０は、抽出部１０１、設定部３０２、変換部１０３を備える。ここで、第１の実施の形態と同様の動作を行う構成要素に関しては、同符号を付与し、説明を省略する。本実施の形態では、設定部３０２の動作を中心に説明する。
【００６０】
設定部３０２は、文字領域における、暖色系の文字のコントラスト状態を考慮して、目標色温度を設定する。
【００６１】
［３−２．動作］
以上のように構成された表示装置３０について、その動作を以下説明する。
【００６２】
［３−２−１．色温度設定部の色温度設定］
図１３は、第３の実施の形態におけるコントラストと色温度の関係の一例を示す図である。
【００６３】
図１３において、横軸は色温度、縦軸は暖色系の色の文字のコントラスト値を示す。図１３に示すように、水平方向を左に向かって色温度を下げていくと、暖色系の文字のコントラストは下がる。コントラストは、色温度が５０００Ｋまで下がるとあらかじめ設定された下限値Ｆ１に到達する。設定部３０２は、コントラストが下限値Ｆ１に到達すると、それ以上コントラストが下がらないように、目標色温度を下限値Ｆ１に到達する色温度５０００Ｋに設定する。
【００６４】
図１４は、第３の実施の形態における色温度変化の一例を示す図である。
【００６５】
図１４に示すように、変換部１０３は、色温度を目標色温度まで徐々に下げていく。変換部１０３は、ｔ１の時点で色温度が５０００Ｋに到達すると、以降、色温度を５０００Ｋに保つような処理を施す。
【００６６】
［３−３．効果等］
以上のように、本実施の形態において、設定部３０２は、文字領域内の暖色系の文字のコントラストが所定の値より小さくならないように、目標色温度を設定する。
【００６７】
これにより、コンテンツデータにおいて、暖色系の色の文字のコントラストが所定の値より小さくならないように、色温度を設定することが可能となる。そのため、ユーザーの疲労を増加させるとされる青色発光成分を低減させるとともに、暖色系の文字のコントラストが低下して見えにくくなることを抑制するように表示することができる。
【００６８】
（第４の実施の形態）
第４の実施の形態では、暖色系の色の文字のコントラストに応じて、目標色温度を設定すると共に、暖色系の色の文字のコントラストを上げる処理を行う場合について説明する。
【００６９】
以下、図１５〜図１７を用いて、実施の形態３を説明する。
【００７０】
［４−１．構成］
図１５は、第４の実施の形態における信号処理装置を有する表示装置４の構成を示すブロック図である。図１５に示すように、表示装置４は、取得部１００、信号処理装置４０、表示制御部１０４、表示部１０５を備える。信号処理装置４０は、抽出部１０１、設定部４０２、変換部４０３を備える。ここで、第１の実施の形態と同様の動作を行う構成要素に関しては、同符号を付与し、説明を省略する。本実施の形態では、設定部４０２の動作を中心に説明する。
【００７１】
設定部４０２は、文字領域における、暖色系の色の文字のコントラストを考慮して、目標色温度を設定するとともに、暖色系の文字に対するコントラストを上げるための変換内容を設定する。
【００７２】
変換部４０３は、コンテンツデータの色温度を目標色温度に変化させると共に、変換内容に応じて、暖色系の文字に対するコントラストに関する変換処理を施す。
【００７３】
［４−２．動作］
以上のように構成された信号処理装置４０について、その動作を以下説明する。
【００７４】
［４−２−１．設定部と変換部の動作］
図１６は、第４の実施の形態におけるコントラストと色温度の関係の一例を示す図である。図１６において、縦軸は暖色系の文字のコントラスト値、横軸は色温度を示す。また変換部４０３がコントラストを上げる処理を行う前のコントラスト値Ｇ２と、変換部４０３がコントラストを上げる処理を行った後の暖色系の文字のコントラスト値Ｇ１を示す。また、Ｇ３は予め定められたコントラスト値の下限値を示す。
【００７５】
図１６に示すように、水平方向を左に向かって色温度を下げていくと、暖色系の文字のコントラスト値も下がる。コントラスト値Ｇ２は色温度が５０００Ｋまで下がると、下限値Ｇ３に到達する。この時、暖色系の文字のコントラストを上げる処理を施せば、コントラスト値Ｇ２は、コントラスト値Ｇ１の値になり、色温度を３０００Ｋ程度まで下げてもコントラストの下限値Ｇ３より大きなコントラストを保つことができる。
【００７６】
この場合、設定部４０２は、目標色温度を３０００Ｋに設定する。また、設定部４０２は、コントラスト値が下限値に到達する第１の色温度５０００Ｋとコントラスト値を上げる変換内容を設定する。
【００７７】
図１７は、第４の実施の形態における色温度の変化を示す図である。変換部４０３は、コンテンツデータの色温度を目標色温度３０００Ｋに向かって、徐々に下げていく。また、変換部４０３は、ｔ２の時点で、色温度が５０００Ｋに到達すると、コントラストを上げる処理を暖色系の文字に施す。
【００７８】
ここで、文字のコントラストを上げる処理としては、文字とその背景との間の明度、文字の彩度や色相などを変化させる処理などがある。
【００７９】
［４−３．効果等］
以上のように、本実施の形態において、設定部４０２は、文字領域における、暖色系の文字のコントラストを考慮して、コンテンツデータを表示するときの目標色温度を設定する。また、設定部４０２は、文字領域における、暖色系の文字のコントラストが所定の値になる第１の色温度と変換内容を設定する。変換部４０３は、コンテンツデータの色温度を目標色温度に変化させる。また、変換部４０３は、設定部４０２が第１の色温度より色
温度を下げる場合は、暖色系の文字のコントラストを上げる処理を施す。
【００８０】
これにより、コンテンツデータを表示するときの色温度を下げる場合に、暖色系の文字のコントラスト値を所定の値より小さくならないようにすることができる。
【００８１】
そのため、ユーザーの疲労を増加させるとされる青色発光成分を低減させるとともに、暖色系の文字のコントラストが低下して見えにくくなることを抑制するように表示することができる。
【００８２】
以上のように、本開示における技術の例示として、実施の形態を説明した。そのために、添付図面および詳細な説明を提供した。
【００８３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８４】
また、上述の実施の形態は、本開示における技術を例示するためのものであるから、特許請求の範囲またはその均等の範囲において種々の変更、置き換え、付加、省略などを行うことができる。
【産業上の利用可能性】
【００８５】
本開示は、表示部を伴う信号処理装置に適用可能である。具体的には、ＰＣ用ディスプレイ、機内向けディスプレイ、タブレット端末、ヘッドマウントディスプレイ、スマートフォンなどに、本開示は適用可能である。
【符号の説明】
【００８６】
１００  取得部
１０１  抽出部
１０２、２０２、３０２、４０２  設定部
１０３、２０３、４０３  変換部
１０４  表示制御部
１０５  表示部
【図１】
2016110094.tif 000003
【図２】
2016110094.tif 000004
【図３】
2016110094.tif 000005
【図４】
2016110094.tif 000006
【図５】
2016110094.tif 000007
【図６】
2016110094.tif 000008
【図７】
2016110094.tif 000009
【図８】
2016110094.tif 000010
【図９】
2016110094.tif 000011
【図１０】
2016110094.tif 000012
【図１１】
2016110094.tif 000013
【図１２】
2016110094.tif 000014
【図１３】
2016110094.tif 000015
【図１４】
2016110094.tif 000016
【図１５】
2016110094.tif 000017
【図１６】
2016110094.tif 000018
【図１７】
2016110094.tif 000019